(57)【要約】      （修正有）【課題】開閉式電気コネクタの提供。【解決手段】ベース１、ベース上に設けられる端子アセンブリ２、ベース上方に設けられるカバー３を具え、カバーは連動部品５によりベースと連結され、カバーが水平状態で移動する方式でベースに対して開閉動作を行ない、ベースとカバーの間に収容空間が形成されてモジュールプラグが収納される。カバーは閉合、開放或いは移動のいずれの状態でもベースと平行を保持する。ゆえに電気コネクタ１０の使用時に大きな使用空間が必要でなく、未使用時に閉合して薄型物とすることができ、薄く小型で携帯使用しやすいものとされている。【選択図】図１
0003104374.tif 000002
【実用新案登録請求の範囲】
【請求項１】
ベースと、
該ベース上に組み付けられ、組み合わされるコネクタと接触し導通する端子アセンブリと、
該ベースの上に取り付けられ、且つ前側と後側がベースと連動部品により連結され、ベースに対し開放或いは閉合する移動を行ない、開放状態の時、ベースとの間に収容空間を形成して組み合わされるコネクタを収容するカバーと、
を具え、該連動部品によりカバーが平行方式で移動し、カバーが閉合或いは開放或いは移動のいずれの状態にあっても、ベースと平行位置を保持することを特徴とする、開閉式電気コネクタ。
【請求項２】
請求項１記載の開閉式電気コネクタにおいて、端子アセンブリが複数の接触端子と一つの端子シートで構成されたことを特徴とする、開閉式電気コネクタ。
【請求項３】
請求項２記載の開閉式電気コネクタにおいて、端子シートの後側の左右両辺位置に外向きに突出するＬ形位置決め板が設けられ、該Ｌ形位置決め板に孔が形成されたことを特徴とする、開閉式電気コネクタ。
【請求項４】
請求項１記載の開閉式電気コネクタにおいて、カバーの前側に係止凹溝が形成され、組み合わされるコネクタに形成されたタブが該係止凹溝に収容並びに係合可能とされたことを特徴とする、開閉式電気コネクタ。
【請求項５】
請求項１又は請求項４記載の開閉式電気コネクタにおいて、組み合わされるコネクタがモジュールプラグとされたことを特徴とする、開閉式電気コネクタ。
【請求項６】
請求項１記載の開閉式電気コネクタにおいて、ベースとカバーの前、後側部分が前連動部品と後連動部品で連結され、該前連動部品と該後連動部品がいずれも連接棒とされたことを特徴とする、開閉式電気コネクタ。
【請求項７】
請求項６記載の開閉式電気コネクタにおいて、連接棒が長板状とされ、底端と上端にそれぞれ枢設孔が設けられ、また、ベースとカバーの該連接棒の枢設孔に対応する位置に、それぞれ枢軸が設けられたことを特徴とする、開閉式電気コネクタ。
【請求項８】
請求項１記載の開閉式電気コネクタにおいて、ベースとカバーの前、後側が前連動部品と後連動部品で連結され、後連動部品が連接棒とされ、前連動部品が弾性部品とされ、カバーが該弾性部品によりベース上に自動閉合することを特徴とする、開閉式電気コネクタ。
【請求項９】
請求項８記載の開閉式電気コネクタにおいて、弾性部品が電気コネクタの左右両側に位置するボタンバネで構成されたことを特徴とする、開閉式電気コネクタ。
【請求項１０】
請求項９記載の開閉式電気コネクタにおいて、ボタンバネが環状枢設部を具え、該環状枢設部によりベース側辺に設けられた枢軸と枢設され、環状枢設部の一端より支持アームが延伸されてベースに支持され、環状枢設部の別端より弾性アームが延伸され、弾性アームの自由端にフック部が形成されたことを特徴とする、開閉式電気コネクタ。
【請求項１１】
請求項８記載の開閉式電気コネクタにおいて、連接棒が長板状を呈し、底端と上端に枢設孔が設けられ、別にベースとカバーの該連接棒の枢設孔に対応する位置に枢軸が設けられたことを特徴とする、開閉式電気コネクタ。
【請求項１２】
請求項１１記載の開閉式電気コネクタにおいて、連接棒の底端の後側部分に外向きにストッパが凸設され、ベースの後側左右両辺位置にストッパブロックが外向きに凸設され、該ストッパブロックとストッパの組合せにより連接棒の回転角度が制限されることを特徴とする、開閉式電気コネクタ。
【考案の詳細な説明】
【技術分野】
【０００１】
本考案は一種の開閉式電気コネクタに係り、特に、カバー開放時に対応するコネクタと接続でき、不使用時には閉合でき、且つカバーが開放或いは閉合のいずれの状態でも体積が小さく薄型で携帯使用に便利である要求を達成するよう形成された開閉式電気コネクタに関する。
【背景技術】
【０００２】
科学技術の進歩に伴い、各種の通信設備には使用に便利で、機能が強化され、体積が小さく携帯しやすいことが求められるようになった。しかしこれらの製品はいずれも信号線により信号の伝送と受信を行なうため、ほとんどのデスクトップ型コンピュータ或いはポータブルコンピュータ或いはその他の電子製品の信号受信或いは保存装置には標準規格の電気コネクタが設けられる。図１１に示されるように、ＰＣＭＣＩＡカード１００は通信リンクに用いられ、ポータブルコンピュータをＬＡＮに接続させたり、或いはデータ／ファクシミリモデムを電話線システムに接続するのに用いられる。ゆえにＰＣＭＣＩＡカード１００の一側には標準規格のＲＪ系列電気コネクタ１０ａ、例えばＲＪ１１、ＲＪ４５等が設けられている。接続時には、通信プラグの一端をＬＡＮと接続し、通信プラグのもう一端をＰＣＭＣＩＡカード１００の電気コネクタ１０ａ中に挿入すれば、信号の伝送と受信が行なえる。
【０００３】
しかし、上述の電気コネクタ１０ａには使用上、以下のような問題がある。
（１）このＲＪ系列の電気コネクタ１０ａは標準規格であるため、一定の体積を具え、ＰＣＭＣＩＡカード１００の標準厚さはＲＪ系列の電気コネクタ１０ａより遥かに小さく、ゆえに図１１から分かるように、ＰＣＭＣＩＡカード１００の電気コネクタ１０ａを設けた一側の高度が特に高く、このため全体のＰＣＭＣＩＡカード１００の体積が非常に大きくなり、使用者による収納と携帯上の不便を形成した。且つ、ポータブルコンピュータに関しては、電気コネクタ１０ａの体積に制限されるため電気コネクタ１０ａのポータブルコンピュータにあっての取り付け点もまた極めて大きな制限を受ける。
（２）この電気コネクタ１０ａの挿入口は露出し、灰塵が接触端子に付着しやすく、接触不良の状況を発生しやすい。
【０００４】
上述の問題を改善するため、特許文献１のような開閉式電気コネクタが提供されており、それは、
ベースとカバー、少なくとも一つの端子部品、噛合機構、開閉位置制限機構を具え、
該ベースは上表面に開口を具え、該ベース中に受け面が画定されて長方形の相互に組み合わされるコネクタを収容でき、該カバーは該ベースの該開口を開閉でき、
該少なくとも一つの端子部品は、該ベース中に設置されて相互に組み合わされるコネクタと弾性接触し、該カバーは枢軸方式で該ベースの一側に枢支されてカバーが回転して自在に開放或いは閉合し、該カバーが開放状態の時、カバーとベースの受け面の間に相互に組み合わされるコネクタを収容する収容空間が形成されて相互に組み合わされるコネクタをカバーと受け面の間に挟持でき、噛合機構は相互に組み合わされるコネクタの噛合部と噛み合い、これにより相互に組み合わされるコネクタのベースからの抜き取りを防止し、開閉位置制限機構はカバーのベースに対する開放角度を制限し、ベースの一側の受け面にある全ての支持面が開放位置にあるカバーの背面とほぼ平行とされる。
【０００５】
上述の特許文献１の開閉式電気コネクタは、そのカバーが一側が枢軸でベースに枢設されているだけであり、且つカバー開放時には枢軸を軸として回転方式で上向きに傾斜角度を呈するように開放されて相互に組み合わされるコネクタが斜め差し込み方式で電気コネクタ内に挿入される。しかし、このような開閉式電気コネクタは開放時に上向きにカバーを開放する力が大き過ぎると、枢軸がベースの軸孔より脱落してカバーがベースより離脱することがよくあり、全体の組立上、強固でない。このほか、カバーが閉合状態の時、薄型物とすることができるが、カバーが開放状態の時は傾斜角度を呈するため、開放して相互に組み合わされるコネクタを挿入する時に一定の高度を占有し、電気コネクタの使用上、大きな使用空間を占用することになる。
【０００６】
【特許文献１】米国特許第５，６７９，０１３号明細書
【考案の開示】
【考案が解決しようとする課題】
【０００７】
本考案は一種の開閉式電気コネクタを提供することを目的とし、それは、ベースを具え、該ベース上に端子アセンブリが設けられ、ベースの上方にカバーが設けられ、カバーとベースの前、後側がいずれも連動部品で連結され、カバーが平行に移動する方式でベースに対して開放或いは閉合の動作を行ない、且つベースとカバーの間に収容空間が形成され、相互に組み合わされるコネクタの収容に供され、カバーは閉合或いは開放或いは移動のいずれの状態でも、ベースと平行位置を保持し、ゆえにこの開閉式電気コネクタは未使用時に閉合されて一つの薄型物とされ、使用時にも大きな使用空間を必要とせず、体積が小さく薄型で携帯に便利な使用要求を達成するものとする。
【０００８】
本考案のもう一つの目的は、一種の開閉式電気コネクタを提供することにあり、それは、ベースとカバーの前側及び後側部分に設けられた連動部品がそれぞれ連接棒とされ、前側、後側の連接棒の連動によりカバーがベースに対して上下に水平の移動を行ない、開放或いは閉合状態を形成するものとする。
【０００９】
本考案のさらにもう一つの目的は、一種の開閉式電気コネクタを提供することにあり、それは、電気コネクタの後側の連動部品が連接棒とされ、電気コネクタ前側の連動部品が弾性手段とされ、カバーが開放状態の時、弾性部品が回復力を蓄積し、組み合わされるコネクタがカバーとベースの間に形成された収容空間より抜き取られる時、カバーが弾性手段の回復力により自動的にベース上に閉合されるものとする。
【課題を解決するための手段】
【００１０】
請求項１の考案は、
ベースと、
該ベース上に組み付けられ、組み合わされるコネクタと接触し導通する端子アセンブリと、
該ベースの上に取り付けられ、且つ前側と後側がベースと連動部品により連結され、ベースに対し開放或いは閉合する移動を行ない、開放状態の時、ベースとの間に収容空間を形成して組み合わされるコネクタを収容するカバーと、
を具え、該連動部品によりカバーが平行方式で移動し、カバーが閉合或いは開放或いは移動のいずれの状態にあっても、ベースと平行位置を保持することを特徴とする、開閉式電気コネクタとしている。
請求項２の考案は、請求項１記載の開閉式電気コネクタにおいて、端子アセンブリが複数の接触端子と一つの端子シートで構成されたことを特徴とする、開閉式電気コネクタとしている。
請求項３の考案は、請求項２記載の開閉式電気コネクタにおいて、端子シートの後側の左右両辺位置に外向きに突出するＬ形位置決め板が設けられ、該Ｌ形位置決め板に孔が形成されたことを特徴とする、開閉式電気コネクタとしている。
請求項４の考案は、請求項１記載の開閉式電気コネクタにおいて、カバーの前側に係止凹溝が形成され、組み合わされるコネクタに形成されたタブが該係止凹溝に収容並びに係合可能とされたことを特徴とする、開閉式電気コネクタとしている。
請求項５の考案は、請求項１又は請求項４記載の開閉式電気コネクタにおいて、組み合わされるコネクタがモジュールプラグとされたことを特徴とする、開閉式電気コネクタとしている。
請求項６の考案は、請求項１記載の開閉式電気コネクタにおいて、ベースとカバーの前、後側部分が前連動部品と後連動部品で連結され、該前連動部品と該後連動部品がいずれも連接棒とされたことを特徴とする、開閉式電気コネクタとしている。
請求項７の考案は、請求項６記載の開閉式電気コネクタにおいて、連接棒が長板状とされ、底端と上端にそれぞれ枢設孔が設けられ、また、ベースとカバーの該連接棒の枢設孔に対応する位置に、それぞれ枢軸が設けられたことを特徴とする、開閉式電気コネクタとしている。
請求項８の考案は、請求項１記載の開閉式電気コネクタにおいて、ベースとカバーの前、後側が前連動部品と後連動部品で連結され、後連動部品が連接棒とされ、前連動部品が弾性部品とされ、カバーが該弾性部品によりベース上に自動閉合することを特徴とする、開閉式電気コネクタとしている。
請求項９の考案は、請求項８記載の開閉式電気コネクタにおいて、弾性部品が電気コネクタの左右両側に位置するボタンバネで構成されたことを特徴とする、開閉式電気コネクタとしている。
請求項１０の考案は、請求項９記載の開閉式電気コネクタにおいて、ボタンバネが環状枢設部を具え、該環状枢設部によりベース側辺に設けられた枢軸と枢設され、環状枢設部の一端より支持アームが延伸されてベースに支持され、環状枢設部の別端より弾性アームが延伸され、弾性アームの自由端にフック部が形成されたことを特徴とする、開閉式電気コネクタとしている。
請求項１１の考案は、請求項８記載の開閉式電気コネクタにおいて、連接棒が長板状を呈し、底端と上端に枢設孔が設けられ、別にベースとカバーの該連接棒の枢設孔に対応する位置に枢軸が設けられたことを特徴とする、開閉式電気コネクタとしている。
請求項１２の考案は、請求項１１記載の開閉式電気コネクタにおいて、連接棒の底端の後側部分に外向きにストッパが凸設され、ベースの後側左右両辺位置にストッパブロックが外向きに凸設され、該ストッパブロックとストッパの組合せにより連接棒の回転角度が制限されることを特徴とする、開閉式電気コネクタとしている。
【考案の効果】
【００１１】
本考案の開閉式電気コネクタは、未使用時に閉合されて薄型物となり、使用時にも大きな使用空間を必要とせず、ゆえに本考案の開閉式電気コネクタは完全に場所をとらず体積が小さく、携帯使用に適するようにする目的を達成する。
【００１２】
総合すると、本考案の開閉式電気コネクタは上述の機能を達成し、且つその構造はこれまでに無く、実用新案登録の要件である新規性、進歩性を具備している。なお、以下の実施例は本考案の実施範囲を限定するものではなく、本考案に基づきなしうる細部の修飾或いは改変は、いずれも本考案の請求範囲に属するものとする。
【考案を実施するための最良の形態】
【００１３】
本考案は一種の開閉式電気コネクタを提供し、それは図１に示されるように、ＲＪ−４５モジュールソケットとされ、通信モジュールプラグ２０（図２参照）の電気コネクタ１０内への挿入に供されて信号の伝送と受信を行なう。電気コネクタ１０はベース１を具え、該ベース１には収容溝１１が設けられ、収容溝１１内に複数の端子チャネル１２が設けられ、ベース１の上に端子アセンブリ２が設置され、該端子アセンブリ２は複数の接触端子２１と端子シート２２で構成され、これら接触端子２１は端子シート２２の上に嵌合され、端子シート２２はベース１に取り付けられ並びに複数の接触端子２１が端子チャネル１２中に位置する。
【００１４】
本考案中、別に、ベース１の上方にカバー３が設置され、カバー３とベース１の前、後側がいずれも連動部品４、５により連結され、カバー３が平行移動の方式でベース１に対して開放と閉合の動作を行ない、並びにカバー３とベース１の間に収容空間１０１が形成され（図３参照）、モジュールプラグ２０を収容する。本実施例では該モジュールプラグ２０の上端にタブ２０１が設けられ、カバー３の前側部分に係止凹溝３１が設けられ、モジュールプラグ２０が電気コネクタ１０内に挿入される時、そのタブ２０１がカバー３の係止凹溝３１中に係合し、モジュールプラグ２０が電気コネクタ１０に係止、位置決めされる。
【００１５】
図１に示されるように、本考案の第１実施例において、ベース１とカバー３の前、後側部分に前連動部品４と後連動部品５が設けられ、そのうち、前連動部品４及び後連動部品５はいずれも連接棒４１、５１で構成され、且つ各連動部品４、５はいずれも二つの連接棒４１、５１を具え、ゆえに第１実施例中には四つの連接棒４１、５１が設けられ、連接棒４１、５１は長板状を呈し、底端及び上端に枢設孔４１１、５１１が設けられ、また、ベース１とカバー３の連接棒４１、５１の枢設孔４１１、５１１に対応する位置にそれぞれ枢軸１３、３２が設けられている。
【００１６】
図２、３を参照されたい。本考案を組み立てる時は、端子アセンブリ２の複数の接触端子２１をそれぞれ端子シート２２中に組み付け、端子シート２２を更にベース１底部より上向きに取り付け、端子シート２２をベース１に嵌め止めし、且つ各接触端子２１をベース１に設けられた端子チャネル１２に位置づける。続いて、前連動部品４及び後連動部品５の四つの連接棒４１、５１をそれぞれベース１とカバー３の間に組み付け、各連接棒４１、５１の枢設孔４１１、５１１をベース１及びカバー３の枢軸１３、３２と枢設し、カバー３とベース１を結合して一体となし、且つカバー３をベース１に対して開放状態を呈するか（図２）閉合状態を呈する（図４）ようにする。カバー３が開放状態の時、カバー３とベース１は収容空間１０１を形成し、モジュールプラグ２０を収容できる。
【００１７】
図５に示されるように、本実施例中、電気コネクタ１０はＰＣＭＣＩＡカード１００に応用され、通信リンクに用いられる。ＰＣＭＣＩＡカード１００未使用時に、カバー３は閉合状態を呈し、且つカバー３の上面はＰＣＭＣＩＡカード１００の上面と揃い、ゆえに全体のＰＣＭＣＩＡカード１００の体積が薄くなり、携帯使用に便利である。図６に示されるように、該電気コネクタ１０がポータブルコンピュータ２００に応用される時、本電気コネクタ１０は開放或いは閉合状態を呈し、ゆえにポータブルコンピュータ２００の任意の位置に取り付けることができる。
【００１８】
図７を参照されたい。本考案中、カバー３を閉合状態から開放状態に移行させる時は、僅かにカバー３に上向きの力を加えれば、カバー３が連接棒４１、５１により上向きに移動し、カバー３の前、後側にいずれも連接棒４１、５１が枢設されているため、カバー３は平行移動方式で移動し、カバー３は閉合或いは開放のいずれの状態にあっても、ベース１と平行位置を保持し、且つカバー３が開放状態を呈する時、その全体の開放高度は低く、大きな使用空間を占用しない。このとき、即ちモジュールプラグ２０をベース１とカバー３の間に形成された収容空間１０１内に挿入可能とされ、これによりモジュールプラグ２０と接触端子２１を接触導通させて、信号の伝送或いは受信を行なうことができる。
【００１９】
モジュールプラグ２０を電気コネクタ１０より抜き取った時は、僅かに下向きの力をカバー３に加えれば、カバー３は各連接棒４１、５１の回転によりベース１の上に閉合され、電気コネクタ１０が未使用時に畳まれて薄型物とされ、体積が小さく薄型で場所を取らないものとする目的を達成する。
【００２０】
図８は本考案の第２実施例を示し、この電気コネクタ１０のカバー３は自動閉合可能とされる。そのうち、後連動部品５はベース１とカバー３の後側部分に設けられた連接棒５１とされ、連接棒５１は長板状を呈し、上端と上端に枢設孔５１１が設けられ、且つ連接棒５１の底端部分に外向きにストッパ５１２が設けられ、ベース１の後側左右両辺位置にそれぞれ外向きにストッパブロック１４が凸設され、該ストッパブロック１４及びストッパ５１２の組合せにより連接棒５１の回転角度が制限される。端子シート２２は後側の左右両辺の位置に外向きに突出するＬ形位置決め板２２１が設けられ、Ｌ形位置決め板２２１に孔２２２が形成され、端子シート２２がベース１に取り付けられる時、ベース１に対応して設けられた枢軸１３が該孔２２２中に嵌合し、連接棒５１が枢軸１３より離脱するのを防止する。
【００２１】
また、前連動部品４は電気コネクタ１０の左右両側の二つのボタンバネ４２で構成され、該ボタンバネ４２はベース１の前側側辺に設けられた枢軸１３に枢設される環状枢設部４２１を具え、環状枢設部４２１の一端より支持アーム４２２が設けられてベース１上に支持され、環状枢設部４２１の別端より弾性アーム４２３が延伸され、弾性アーム４２３の自由端にフック部４２４が形成されてカバー３前側に設けられた枢軸３２に係合する。
【００２２】
図９に示されるように、カバー３を閉合状態から開放状態に移行させたい時は、ただカバー３に上向きの力を加えれば、カバー３が二つの連接棒５１と二つのボタンバネ４２により平行移動の方式で移動し、電気コネクタ１０後側の二つの連接棒５１に設けられたストッパ５１２がベース１のストッパブロック１４の側壁に当接すると、カバー３が限位され、それ以上移動せず、即ち、モジュールプラグ２０をベース１とカバー３の間に形成される収容空間内に挿入してモジュールプラグ２０と接触端子２１を接触させ導通させて信号の伝送と受信を行なうことができる。この時、該ボタンバネ４２の弾性アーム４２３はカバー３の上向きの開放に伴い後ろに回され、ボタンバネ４２に弾性回復力を蓄積させる。
【００２３】
図１０に示されるように、モジュールプラグ２０をカバー３とベース１の間に形成された収容空間より抜き取る時、カバー３はそれ以上モジュールプラグ２０の支持を受けず、且つカバー３になんの力を加えなくとも、カバー３はボタンバネ４２の弾性回復力により自動的にもとの位置に回復し、並びにベース１上に閉合される。これにより電気コネクタ１０のカバー３が自動閉合の機能を具備する。
【図面の簡単な説明】
【００２４】
【図１】本考案の分解斜視図である。
【図２】本考案の電気コネクタの開放状態の外観組合せ図である。
【図３】本考案の電気コネクタの開放状態の側面図である。
【図４】本考案の電気コネクタの閉合状態の外観組合せ図である。
【図５】本考案の電気コネクタをＰＣＭＣＩＡカードに使用した表示図である。
【図６】本考案の電気コネクタをポータブルコンピュータに使用した表示図である。
【図７】本考案の電気コネクタとモジュールプラグを組み合わせた側面断面図である。
【図８】本考案の別の実施例の分解斜視図である。
【図９】本考案の別の実施例の電気コネクタの開放状態の外観組合せ図である。
【図１０】本考案の別の実施例の電気コネクタの閉合状態の組合せ図である。
【図１１】周知の技術の表示図である。
【符号の説明】
【００２５】
１０  電気コネクタ                      １０１  収容空間
１  ベース                              １１  収容溝
１２  端子チャネル                      １３、３２  枢軸
１４  ストッパブロック                  ２  端子アセンブリ
２１  接触端子                          ２２  端子シート
２２１  位置決め板                      ２２２  孔
３  カバー                              ３１  凹溝
４  連動部品                            ５  連動部品
４１、５１  連接棒                      ４１１、５１１  枢設孔
５１２  ストッパ                        ４２  ボタンバネ
４２１  枢設部                          ４２２  支持アーム
４２３  弾性アーム                      ４２４  フック部
２０  モジュールプラグ                  ２０１  タブ
１００  ＰＣＭＣＩＡカード              ２００  ポータブルコンピュータ
【図１】
0003104374.tif 000003
【図２】
0003104374.tif 000004
【図３】
0003104374.tif 000005
【図４】
0003104374.tif 000006
【図５】
0003104374.tif 000007
【図６】
0003104374.tif 000008
【図７】
0003104374.tif 000009
【図８】
0003104374.tif 000010
【図９】
0003104374.tif 000011
【図１０】
0003104374.tif 000012
【図１１】
0003104374.tif 000013